(57)【要約】【課題】弾性体の弾性変形を利用することによって、遊技機に新たな興趣を付与することのできる入賞口開閉ユニット、遊技装置体ユニット及び遊技機を提供すること。【解決手段】この入賞口開閉ユニット３４は、遊技媒体２０の流下による遊技を実現する遊技装置体５の表面側に設けられて前記遊技媒体の流入を許容する特定入賞口２９を、前記流入が困難な閉状態と前記流入が容易な開状態とに変更可能な入賞口開閉ユニットであって、閉状態を実現する位置と開状態を実現する位置とに移動可能な移動部３８と、移動部を駆動する駆動源と、少なくとも一端が前記移動部に係止されて張架され、移動部の移動に伴って伸縮動作を行う弾性体４０とを有している。【選択図】図２
2008220570.tif 000002
【特許請求の範囲】
【請求項１】
遊技媒体の流下による遊技を実現する遊技装置体の表面側に設けられて前記遊技媒体の流入を許容する特定入賞口を、前記流入が困難な閉状態と前記流入が容易な開状態とに変更可能な入賞口開閉ユニットであって、
前記閉状態を実現する位置と前記開状態を実現する位置とに移動可能な移動部と、
該移動部を駆動する駆動源と、
少なくとも一端が前記移動部に係止されて張架され、該移動部の移動に伴って伸縮動作を行う弾性体と、を有する入賞口開閉ユニット。
【請求項２】
前記遊技装置体と、
前記遊技装置体の表面側に設けられた前記特定入賞口と、
請求項１に記載の入賞口開閉ユニットと、を有する遊技装置体ユニット。
【請求項３】
前記閉状態において、前記遊技装置体の表面側から前記特定入賞口が不可視となる位置に前記移動部が移動する請求項２に記載の遊技装置体ユニット。
【請求項４】
前記閉状態において、前記弾性体により前記特定入賞口が覆われることにより前記遊技装置体の表面側から前記特定入賞口が不可視となる請求項２に記載の遊技装置体ユニット。
【請求項５】
遊技機の周囲を囲む筐体枠と、
請求項２から請求項４のうちいずれか１項に記載の前記遊技装置体ユニットと、
該遊技装置体を保持し、前記筐体枠に対して前面開閉可能に揺動支持された機枠と、
前記遊技装置体に対して一定距離以上離間して配置された前面透明板と、
該遊技装置体の周囲を囲んで装飾する装飾部材を保持し、前記機枠に対して前面開閉可能に揺動支持された装飾枠と、
前記遊技媒体を前記遊技装置体の上部に向けて発射する発射ユニットと、を有する遊技機。
【発明の詳細な説明】
【技術分野】
【０００１】
本発明は、入賞口開閉ユニット、遊技装置体ユニット及び遊技機に係り、特に弾性体の弾性変形を利用した遊技演出によって興趣向上を図ることのできる入賞口開閉ユニット、遊技装置体ユニット及び遊技機に関する。
【背景技術】
【０００２】
パチンコ機等の遊技機では、弾球された球が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このように、パチンコ機による遊技はそのほとんどが遊技盤面上で行われるようになっている。したがって、遊技機の興趣性向上や安定した遊技継続のためには、遊技盤面の構成が非常に重要であり、その構成には従来より様々な工夫がなされてきた。例えば、遊技盤面上に弾性部材を配置したり、遊技盤面上に配置される部材の一部を弾性部材で形成したりしたものがある。
【０００４】
特許文献１に記載のものは、ゲージや羽根車の他に弾性部材を遊技盤面上に配置している。弾性部材に衝突した球は、ゲージや羽根車に衝突した場合とは異なる動きをすることを利用して球の動きに更なる変化を与えて興趣向上を図っているのである。
【０００５】
また、特許文献２に記載のものは遊技盤面上に配置される変動入賞装置や図柄表示装置等の役物の一部を弾性部材で形成している。
【０００６】
変動入賞装置は、例えば遊技演出用のキャラクター人形等の役物と複数種類の入賞口とを有し、変動入賞装置内に流入した球が、キャラクター人形等の動作に影響されていずれの種類の入賞口に入賞するかを楽しめるように構成されているものである。球が入賞した入賞口の種類に応じて、払い出される景品球数が異なったり、異なる種類の別遊技が開始されたりする。
【０００７】
また、図柄表示装置は、その表示画面に表示された図柄等が変動し特定の表示態様となったときに、遊技者に多量の景品球を獲得させるいわゆる「当り」を構成するためのものである。遊技機にこの図柄変動装置が配されることにより、遊技盤面の入賞口に球が入賞して所定個数の景品球払出しがされる場合のみならず、図柄変動の結果によっても多量の景品球が払い出されるので、遊技者の興趣が一層向上するようになっている。
【０００８】
これらの役物は遊技盤の表面に突出している部分を有している場合が多い。そして、遊技盤面上を流下する多数の球がその突出部分に衝突することとなる。そこで、特許文献２に記載のものは、遊技盤の表面に突出した役物の一部を弾性部材で形成することで、球の衝突の衝撃を緩和して、役物の破損を防止している。
【０００９】
【特許文献１】特開２００４−３１３５２１号公報
【特許文献２】特開２００６−６４４０号公報
【発明の開示】
【発明が解決しようとする課題】
【００１０】
しかし、特許文献１に記載のものは、遊技盤面に配置された弾性部材に衝突した球が跳ね返る方向や程度が、ゲージや羽根車に衝突した場合とは異なる（例えば、ほとんど跳ね返らない。）ことを利用し、球の動きに変化を与えたにすぎない。遊技中は、多数の球が遊技盤面上を流下するので、遊技者は球の動きをひとつひとつ確認しながら遊技を行うことは少なく、したがって、流下する球の動きの変化による興趣向上の効果はあまり高いとはいえない。
【００１１】
また、特許文献２に記載のものは、球の衝突による衝撃緩和のために弾性部材を用いており、遊技盤面に弾性部材を設けることが新たな興趣に結びついていない。
【００１２】
本発明は上記の事情に鑑みて為されたもので、弾性体の弾性変形を利用することによって、遊技機に新たな興趣を付与することのできる入賞口開閉ユニットを提供することを例示的課題とする。より具体的には、入賞口の開閉動作に弾性体の伸縮動作を加えることにより、開閉動作に意外性を付与して興趣を高め、面白みのある遊技演出を実現することのできる入賞口開閉ユニット、遊技装置体ユニット及び遊技機を提供することを例示的課題とする。
【課題を解決するための手段】
【００１３】
上記の課題を解決するために、本発明の例示的側面としての入賞口開閉ユニットは、遊技媒体の流下による遊技を実現する遊技装置体の表面側に設けられて前記遊技媒体の流入を許容する特定入賞口を、前記流入が困難な閉状態と前記流入が容易な開状態とに変更可能な入賞口開閉ユニットであって、閉状態を実現する位置と開状態を実現する位置とに移動可能な移動部と、移動部を駆動する駆動源と、少なくとも一端が前記移動部に係止されて張架され、移動部の移動に伴って伸縮動作を行う弾性体とを有する。
【００１４】
移動部の移動に伴って伸縮する弾性体を有するので、その移動部の移動に連動して弾性体を伸縮させることができる。移動部の移動の際に、可動部材も伸縮するので、入賞口の開閉動作に意外性を付与することができる。また、弾性体の表面に図柄や模様の装飾を施せば、弾性体が伸びた状態と縮んだ状態とでその装飾効果が異なるようにすることができる。したがって、弾性体の伸縮と移動部の移動を組み合わせることで、入賞口の開閉動作に一層の意外性を付与することができ、面白みのある遊技演出とすることができる。
【００１５】
なお、本願においては、遊技機から遊技者に向かう方向が「前方」であり、前方を向く面が「前面」・「表面」である。逆に遊技者から遊技機に向かう方向が「後方」であり、後方を向く面が「後面」・「裏面」である。また、遊技者から見て左方向が「左」・「左側」であり、遊技者から見て右側が「右」・「右側」である。
【００１６】
本発明の他の例示的側面としての遊技装置体ユニットは、遊技装置体と、遊技装置体の表面側に設けられた特定入賞口と、上記入賞口開閉ユニットとを有する。
【００１７】
遊技装置体ユニットが入賞口開閉ユニットを有するので、この遊技装置体は、弾性体の伸縮と移動部の移動を組み合わせて、入賞口の開閉動作を興趣性の高いものとすることができる。
【００１８】
閉状態において、遊技装置体の表面側から特定入賞口が不可視となる位置に移動部が移動するものであってもよい。閉状態において遊技装置体の表面側から入賞口が不可視となるので、入賞口を遊技者から視認不可にすることができる。例えば、開状態を実現する位置に移動部が移動すると入賞口が視認可能となるようにすれば、遊技者に対して入賞口が突然現れたかのような感覚を与えることができ、入賞口の開閉動作に意外性を付与することができる。
【００１９】
閉状態において、弾性体により特定入賞口が覆われることにより遊技装置体の表面側から特定入賞口が不可視となるものであってもよい。入賞口が、弾性体に覆われて遊技装置体の表面側から不可視となるので、入賞口を遊技者から視認不可にすることができる。したがって、弾性体によって入賞口を隠したり、視認可能にしたりするような興趣性の高い、意外性のある遊技演出を行うことができる。
【００２０】
本発明のさらに他の例示的側面としての遊技機は、遊技機の周囲を囲む筐体枠と、上記遊技装置体ユニットと、遊技装置体を保持し、筐体枠に対して前面開閉可能に揺動支持された機枠と、遊技装置体に対して一定距離以上離間して配置された前面透明板と、遊技装置体の周囲を囲んで装飾する装飾部材を保持し、前記機枠に対して前面開閉可能に揺動支持された装飾枠と、遊技媒体を遊技装置体の上部に向けて発射する発射ユニットとを有する。
【００２１】
この遊技機は、遊技装置体ユニットを有し、その遊技装置体ユニットが上記入賞口開閉ユニットを有するので、弾性体の伸縮と移動部の移動とを組み合わせて、入賞口の開閉動作を興趣性の高いものとすることができる。したがって、遊技者が面白みを感じながら楽しく遊技をすることができる遊技機となる。
【００２２】
本発明の更なる目的又はその他の特徴は、以下添付図面を参照して説明される好ましい実施の形態によって明らかにされるであろう。
【発明の効果】
【００２３】
本発明によれば、遊技装置体表面に設けられた入賞口の開閉動作に加えて弾性体を弾性変形させることで、その動作に意外性を付与したり、面白みのある遊技演出としたりすることができる。また、移動部や弾性体により入賞口を視認可能としたり、不可視としたりすることで、入賞口の開閉動作に一層の意外性を付与し、興趣の向上を図ることができる。
【発明を実施するための最良の形態】
【００２４】
［実施の形態１］
以下、本発明の実施の形態１について図面を用いて説明する。図１は、本発明の実施の形態１に係る遊技機としてのパチンコ機２の外観を示す外観斜視図である。パチンコ機２は、筐体枠４、遊技盤ユニット（遊技装置体ユニット）６、機枠８、前面ガラス（前面透明板）１０、装飾枠１２、球皿１４、発射ユニット（図示せず。）を有している。遊技盤ユニット６は、さらに入賞口開閉ユニットとしての中央装置３４を有している。
【００２５】
パチンコ機２は、組合せ式パチンコ機、封入循環式パチンコ機、雀球機等を含む。また、遊技機としてはパチンコ機の他に、ゲーム機、アーケードマシン等が概念できる。
【００２６】
筐体枠４は、このパチンコ機２を囲むための枠体であり、平面視略長方形に構成されている。材料としては、木材が用いられることが多いが、他に樹脂やアルミ等の金属が用いられることもある。筐体枠４は、パチンコ機２の上下面及び左右側面を囲い、前面（すなわち、遊技者側。）から見て左側面側には機枠８及び装飾枠１２を揺動支持するためのヒンジ部（揺動支持部）２２が設けられている。
【００２７】
遊技盤ユニット６は、このパチンコ機２において、遊技媒体としての球２０の流下による遊技を実現するためのものであり、遊技盤（遊技装置体）５、レール飾り２４、ゲージ（障害釘、図示せず。）、普通入賞口２６、始動入賞口２８、特別入賞口（特定入賞口）２９、大入賞口３０、アウト口３２、を有して構成されている。
【００２８】
遊技盤５は、複数の開口が形成された略方形の板状部材であり、材料としては木材が用いられることが多い。
【００２９】
レール飾り２４は、遊技盤５の表面側に取り付けられた部材であり、遊技盤５の表面中央を囲むような形状とされている。レール飾り２４に形成された内側面２４ａに囲まれた領域が遊技領域６ａとされる。遊技領域６ａには、後述するゲージや入賞口が配置され、この遊技領域６ａを球２０が流下するようになっている。
【００３０】
ゲージは遊技領域６ａに多数配置され、遊技領域６ａを流下する球２０の流下方向を変化させるためのものである。
【００３１】
普通入賞口２６は、遊技領域６ａの複数箇所に形成された入賞口であり、球２０が普通入賞口２６に入賞（流入）した際に所定個数の球２０が景品として払い出されるようになっている。
【００３２】
始動入賞口２８は、遊技領域６ａの中央下方部に形成されている。本実施の形態１においては、始動入賞口２８のさらに下方に大入賞口３０が形成されている。大入賞口３０のすぐ下方には、アウト口３２が形成されている。
【００３３】
始動入賞口２８は、遊技領域６ａの中央部下方に形成された入賞口である。球２０が始動入賞口２８に入賞すると、中央装置３４に設けられた移動部（後に詳説。）が揺動動作するようになっている。また、始動入賞口２８に球２０が入賞した際にも所定個数の球２０が景品として払い出される。
【００３４】
特別入賞口（特定入賞口）２９は、遊技領域６ａの中央部上方に形成された入賞口である。球２０が特別入賞口２９に入賞すると、後述する大入賞口３０が開成状態とされる。また、特別入賞口２９に球２０が入賞した際にも所定個数の球２０が景品として払い出される。
【００３５】
大入賞口３０は、球２０を受け入れやすい開成状態と、球２０を受け入れにくい閉成状態とに可変とされている。大入賞口３０の開閉制御は、特別入賞口２９に球２０が入賞した際に行われる。本実施の形態１では、特別入賞口２９に球２０が入賞すると、「当り」遊技として大入賞口３０が開成制御され、所定時間経過後に閉成制御される。大入賞口３０に球２０が入賞した際にも所定個数の球２０が景品として払い出されるようになっている。
【００３６】
アウト口３２は、遊技領域６ａの中央最下端近傍に形成された開口であり、遊技領域６ａの最下端まで流下した球２０、すなわちいずれの入賞口２６，２８，２９，３０にも入賞しなかった球２０を流入させるためのものである。アウト口３２に流入した球２０は、パチンコ機２の外部に排出されるようになっている。
【００３７】
中央装置３４は遊技領域６ａの略中央に設けられて、特別入賞口２９の開閉動作（遊技演出）を行うための演出装置である。中央装置３４は始動入賞口２８に球２０が入賞した際に、特別入賞口２９の開閉状態を変更する遊技演出を行い、図２（ａ）に示すように、固定部３６、移動部３８、弾性膜（弾性体）４０、モータ（駆動部、図示せず。）を有して構成されている。本実施の形態１では、中央装置３４は全体として帆船を正面から見たような形態として構成されている。
【００３８】
固定部３６は、中央装置３４の下部に形成された固定部材である。移動部３８は、中央装置３４の上部に配置された部材であり、略十字形状を呈しており、縦柱部３８ａ、横柱部３８ｂ、目隠し部３８ｃ、閉鎖部３８ｄを有して構成されている。縦柱部３８ａは、中央装置３４の略中央から上方に延びるように形成された柱状の部材である。そして、移動部３８は、図２（ｂ）に示すように縦柱部３８ａの下端を軸にして揺動可能となっている。
【００３９】
横柱部３８ｂは縦柱部３８ａから左右に延びるように形成された柱状の部材であり、後に詳説する弾性膜４０を係止するためのものである。目隠し部３８ｃは、縦柱部３８ａの上部に設けられ、中央装置３４が遊技盤５に取り付けられた状態で特別入賞口２９の前面側に位置するように形成されている。目隠し部３８ｃが、特別入賞口２９の前面側に位置しているので、特別入賞口２９は遊技盤５の表面側から不可視となっており、遊技者は特別入賞口２９を視認することができない。
【００４０】
移動部３８が揺動することで、目隠し部３８ｃが移動し、特別入賞口２９が遊技盤５の表面側から視認可能となる。つまり、移動部３８の一部を構成する目隠し部３８ｃは、移動部３８の揺動に伴って、特別入賞口２９を不可視とする位置と特別入賞口２９を視認可能とする位置とに移動可能となっている。
【００４１】
閉鎖部３８ｄは、目隠し部３８ｃの裏面に突出するように形成されている。閉鎖部３８ｄは、目隠し部３８ｃが特別入賞口２９を不可視とする位置にあるときに、図３（ａ）に示すように特別入賞口２９の上部を覆い、球２０が特別入賞口２９に入賞するのが困難な状態（閉状態）を実現する。また、移動部３８が揺動することで、閉鎖部３８ｄも特別入賞口２９の上部を覆う位置から移動して、図３（ｂ）に示すように特別入賞口２９を球２０が入賞するのが容易な状態（開状態）に変更する。つまり、移動部３８の一部を構成する閉鎖部３８ｄは、移動部３８の揺動に伴って、閉状態を実現する位置と、開状態を実現する位置とに移動可能となっている。したがって、移動部３８の揺動が、特別入賞口２９を開閉する開閉動作（遊技演出）となる。
【００４２】
弾性膜４０は固定部３６と横柱部３８ｂとの間に張架された薄膜状の弾性体である。
弾性膜４０は、その上端４０ａで横柱部３８ｂに係止され、その下端４０ｂで固定部３６に係止されている。弾性膜４０は、ゴム製弾性シートで構成されており、移動部３８が移動して、固定部３６と横柱部３８ｂとの間隔が変化しても、その変化に対応して弾性膜４０は伸縮することができる。またシート部材であるので比較的広い範囲１枚で覆うこともできる。なお、弾性体としてはゴム弾性シートの他に、バネ等を用いてもよい。
【００４３】
本実施の形態１では、移動部３８の揺動（移動）に伴って、弾性膜４０の左端４０ｃは伸長し、右端４０ｄは収縮する。したがって、中央装置３４による遊技演出に、弾性膜４０の伸縮という意外性のある要素を付加することができるので、その遊技演出を面白みのある興趣性の高いものとすることができる。また、移動部３８の揺動に伴って、移動部３８（目隠し部３８ｃ）の裏側から突然特別入賞口２９が現れるので、遊技演出にさらなる意外性を付与し、一層の興趣向上を図ることができる。
【００４４】
モータは、中央装置の裏面側に配置され、移動部３８を駆動して揺動させる駆動部としての機能を有している。なお、本実施の形態１では、弾性膜４０の下端４０ｂを係止する固定部３６を中央装置の一部として構成したが、遊技盤に固定部を形成し、そこに直接下端４０ｂを固定するように構成しても構わない。
【００４５】
後述する発射ユニットにより球２０が遊技領域６ａ内の上部に向けて発射されると、球２０がゲージに衝突してその流下方向を変えつつ遊技領域６ａ内を流下するようになっている。その流下の途中で、あるものは普通入賞口２６に入賞して球の払出しの契機となり、あるものは始動入賞口２８に入賞して移動部３８の移動の契機となり、また、あるものはいずれの入賞口２６，２８，２９，３０にも入賞せずにアウト口３２からパチンコ機２の外部へと排出される。
【００４６】
機枠８は、遊技盤ユニット６を保持するための枠体であり、その中央近傍に遊技盤ユニット６を取り付けるための取付け開口が形成されている。取付け開口の周囲に遊技盤ユニット６を着脱可能に取り付けるための取付け部を有し、機枠８は遊技盤ユニット６の周囲を囲むように構成されている。その機枠８は、筐体枠４の前面側に配置されてヒンジ部２２において筐体枠４に揺動支持され、筐体枠４に対して前面開閉可能とされている。
【００４７】
機枠８は、樹脂又は金属によって形成され、その後面側には裏機構盤（図示せず。）が配置される。その裏機構盤には、入賞球を計数して排出処理する入賞球処理装置（図示せず。）、景品としての球を計数して払い出す景品球払出装置（図示せず。）等が配置されている。
【００４８】
前面ガラス１０は、遊技盤ユニット６に対して一定距離以上離間して配置された透明板である。前面ガラス１０は透明平板ガラスで形成され、遊技盤ユニット６との間に球２０が流下する流下スペースを形成する機能、遊技者が前面ガラス１０を通して遊技盤ユニット６を視認できるように視認性を確保する機能、遊技者が遊技盤ユニット６に不正にアクセス（接触）できないように不正アクセスを防止する機能、を発揮する。
【００４９】
前面透明板としてはガラス素材の前面ガラス１０の他に、もちろん透明アクリル等の樹脂材料が使用されてもよい。また、本実施の形態１においては、前面ガラス１０が装飾枠１２に保持されるが、前面ガラス１０が遊技盤ユニット６の前面に取り付けられて、遊技盤ユニット６とともに機枠８に保持されるように構成されていてもよい。
【００５０】
装飾枠１２は、筐体枠４に対して前面開閉可能に揺動支持された枠体である。本実施の形態１においては、装飾枠１２はヒンジ部２２において機枠８とともに揺動支持されている。
【００５１】
上皿（球皿）１４は、球２０を発射ユニットに導くべく貯留するためのもので、下皿１５とともに遊技者の持ち球を貯留する機能を有する。上皿１４は、パチンコ機２の前面であって遊技盤ユニット６の下方、すなわち装飾枠１２の下方部分に配置され、下皿１５は、その上皿１４のさらに下方に配置されている。本実施の形態１においては、上皿１４と下皿１５とを別々に構成しているが、もちろん上皿１４と下皿１５とが一体となって１つの球皿が構成されていてもよい。
【００５２】
上皿１４は、景品球としてパチンコ機２から払い出された球２０を受け取る機能や、その球２０を球供給装置（いわゆる整流器、図示せず。）を介して発射ユニットに導くべく貯留する機能を有している。また、遊技者が遊技を終了する場合に、球排出ボタン１４ｂによって下皿１５へと球２０を排出することができるようになっている。
【００５３】
発射ユニットは、球供給装置によって上皿１４から発射位置に送り出された球２０を遊技領域６ａの上部に向けて発射（弾球）するためのものである。発射ユニットは、例えば発射位置の球２０を弾球する発射杆、その発射杆を駆動する発射モータ、発射杆を付勢して弾球のための力を発生させる発射バネ等を有してユニット構成され、機枠８に取り付けられている。その発射ユニットによる球発射のため、遊技者の操作に基づいて球発射のオンオフ及びその発射強度調整を実現する発射ハンドル４６がパチンコ機２の前面下方に設けられているが、詳細は省略する。
【００５４】
次に図４のフローチャートを用いて、このパチンコ機２において遊技演出が行われ「当り」遊技が発生する手順について説明する。
【００５５】
遊技者が発射ハンドル４６を操作して球２０を発射し（Ｓ．１）、その球２０が始動入賞口２８に入賞すると（Ｓ．２）、移動部３８が揺動し、特別入賞口２９が、球２０の入賞が容易な開状態となる（Ｓ．３）。
【００５６】
特別入賞口２９に球２０が入賞すると（Ｓ．４）、「当り」遊技となり大入賞口３０が開成状態とされる（Ｓ．５）。
【００５７】
なお、特別入賞口２９を特定入賞口として構成しているが、これに限られず、その他の入賞口、例えば普通入賞口２６を特定入賞口として構成してももちろん構わない。また、本実施の形態１では、特別入賞口２９への入賞が「当り」遊技開始の契機となっているが、特別入賞口２９に入賞した球２０が遊技盤面上に設けられた振分装置（図示せず。）に案内され、その振分装置による球２０の振分け先に応じて「当り」遊技を開始させてもよい。
【００５８】
［実施の形態２］
以下、本発明の実施の形態２について図面を用いて説明する。図５（ａ）は、本発明の実施の形態２に係る入賞口開閉ユニットとしての中央装置１３４の正面図である。
【００５９】
中央装置１３４は、遊技盤ユニット１０６の遊技領域１０６ａに取り付けられて遊技演出（特別入賞口１２９の開閉動作。）を行うための演出装置であって、固定部１３６、移動部１３８、弾性膜（弾性体）１４０、モータ（駆動部、図示せず。）を有して構成されている。
【００６０】
本実施の形態２でも、中央装置１３４は全体として帆船を正面から見たような形態として構成されている。
【００６１】
固定部１３６は、中央装置１３４の下部に形成された固定部材である。移動部１３８は、中央装置１３４の上部に配置された部材であり、略十字形状を呈しており、縦柱部１３８ａ、横柱部１３８ｂ、閉鎖部１３８ｄを有して構成されている。縦柱部１３８ａは、中央装置１３４の略中央から上方に延びるように形成された柱状の部材である。そして、移動部１３８は、図５（ｂ）に示すように縦柱部１３８ａの下端を軸にして揺動可能となっている。
【００６２】
横柱部１３８ｂは縦柱部１３８ａの左右に延びるように形成された柱状の部材であり、後に詳説する弾性膜１４０を係止するためのものである。
【００６３】
閉鎖部１３８ｄは、横柱部１３８ｂの裏面に突出するように形成されている。閉鎖部１３８ｄは、図５（ａ）に示すように遊技領域１０６ａに設けられた特別入賞口（特定入賞口）１２９の上部を覆い、球が特別入賞口１２９に入賞するのが困難な状態（閉状態）を実現している。また、移動部１３８が揺動することで、閉鎖部１３８ｄも特別入賞口１２９の上部を覆う位置から移動して、図５（ｂ）に示すように特別入賞口１２９を、球が入賞するのが容易な状態（開状態）に変更する。つまり、移動部１３８の一部を構成する閉鎖部１３８ｄは、移動部１３８の揺動に伴って、閉状態を実現する位置と、開状態を実現する位置とに移動可能となっている。したがって、移動部１３８の揺動が、特別入賞口１２９を開閉する開閉動作（遊技演出）となる。
【００６４】
弾性膜１４０は固定部１３６と横柱部１３８ｂとの間に張架された薄膜状の弾性部材である。弾性膜１４０は、その上端１４０ａで横柱部１３８ｂに係止され、その下端１４０ｂで固定部１３６に係止されている。弾性膜１４０は半透明性の弾性材料、例えばゴム製弾性シートで構成されており高い伸縮性を有する。したがって、移動部１３８が移動して、固定部１３６と横柱部１３８ｂとの間隔が変化しても、その変化に対応して弾性膜１４０が伸縮することができる。
【００６５】
図５（ａ）に示すように、特別入賞口１２９が閉状態であるときに、弾性膜１４０は特別入賞口１２９を覆って、遊技盤ユニット１０６の表面側から特別入賞口１２９を不可視としている。また、移動部１３８の揺動に伴って、図５（ｂ）に示すように弾性膜１４０の左側方が収縮して、特別入賞口１２９が遊技盤ユニット１０６の表面側から視認可能となる。
【００６６】
本実施の形態２では、移動部１３８の揺動（移動）に伴って、弾性膜１４０の左端１４０ｃは収縮し、右端１４０ｄは伸長する。したがって、中央装置１３４による遊技演出に、弾性膜１４０の伸縮という意外性のある要素を付加することができるので、その遊技演出を面白みのある興趣性の高いものとすることができる。また、移動部１３８の移動に伴って、弾性膜１４０の裏側から突然特別入賞口１２９が現れるので、遊技演出にさらなる意外性を付与し、一層の興趣向上を図ることができる。
【００６７】
さらに、弾性膜１４０の表面であって右側方には「チャンス！」の文字が図柄として表示されている。特別入賞口１２９の閉状態時には、弾性膜１４０の右側方は収縮しているので、「チャンス！」の文字は大して目立たない。しかし、特別入賞口１２９の開状態時には弾性膜１４０の右側方が伸長し、それに伴って「チャンス！」の文字も伸びて大きくなり、特別入賞口１２９が球の入賞が容易な状態であることを遊技者に報知することができる。また、弾性膜１４０に表示された文字が延びるように大きくなるというインパクトのある遊技演出とすることができる。
【００６８】
モータは、中央装置１３４の裏面側に配置され、移動部１３８を駆動して揺動させる駆動部としての機能を有している。
【００６９】
以上、本発明の好ましい実施の形態を説明したが、本発明はこれらに限定されるものではなく、その要旨の範囲内で様々な変形や変更が可能である。
【図面の簡単な説明】
【００７０】
【図１】本発明の実施の形態１に係るパチンコ機の正面図である。
【図２】図１に示すパチンコ機における中央装置部分を拡大した部分拡大図であって（ａ）移動部が閉状態を実現する位置にある状態を示す図、（ｂ）移動部が開状態を実現する位置にある状態を示す図である。
【図３】図１に示すパチンコ機における中央装置部分を上部から見た断面図であって（ａ）移動部が閉状態を実現する位置にある状態を示す図、（ｂ）移動部が開状態を実現する位置にある状態を示す図である。
【図４】図１に示すパチンコ機において遊技演出が行われ「当り」遊技が発生するまでの手順を示すフローチャートである。
【図５】本発明の実施の形態２に係る遊技盤ユニットの中央装置部分を拡大した部分拡大図であって、（ａ）移動部が閉状態を実現する位置にある状態を示す図、（ｂ）移動部が開状態を実現する位置にある状態を示す図である。
【符号の説明】
【００７１】
２：パチンコ機（遊技機）
４：筐体枠
５：遊技盤（遊技装置体）
６：遊技盤ユニット（遊技装置体ユニット）
６ａ：遊技領域
８：機枠
１０：前面ガラス（前面透明板）
１２：装飾枠
１４：球皿
１４ｂ：球排出ボタン
１５：下皿
２０：球（遊技媒体）
２２：ヒンジ部（揺動支持部）
２４：レール飾り
２４ａ：内側面
２６：普通入賞口
２８：始動入賞口
２９：特別入賞口（特定入賞口）
３０：大入賞口
３２：アウト口
３４：中央装置（入賞口開閉ユニット）
３６：固定部
３８：移動部
３８ａ：縦柱部
３８ｂ：横柱部
３８ｃ：目隠し部
３８ｄ：閉鎖部
４０：弾性膜（弾性体）
４０ａ：上端
４０ｂ：下端
４０ｃ：左端
４０ｄ：右端
４６：発射ハンドル
１０６：遊技盤ユニット（遊技装置体ユニット）
１０６ａ：遊技領域
１２９：特別入賞口（特定入賞口）
１３４：中央装置（入賞口開閉ユニット）
１３６：固定部
１３８：移動部
１３８ａ：縦柱部
１３８ｂ：横柱部
１３８ｄ：閉鎖部
１４０：弾性膜（弾性体）
１４０ａ：上端
１４０ｂ：下端
１４０ｃ：左端
１４０ｄ：右端
【図１】
2008220570.tif 000003
【図２】
2008220570.tif 000004
【図３】
2008220570.tif 000005
【図４】
2008220570.tif 000006
【図５】
2008220570.tif 000007